(57)【要約】【課題】チップの不用意なる移動を規制して安定的に収納及び搬送することができる収納容器を提供すること。【解決手段】収納容器１０は、複数枚のチップＣを収納する複数のチップトレイ１１と、各チップトレイ１１をそれぞれ収納可能に設けられた収納トレイ１２とを備えて構成されている。チップトレイ１１は、略同一構造のトレイ部材により構成され、相互に組み合わせ可能な上部材１４及び下部材１５からなる。上部材１４及び下部材１５は、組み合わせ状態を維持されて収納トレイ１２に収納され、上部材１４及び下部材１５の間にチップＣが挟み込まれた状態で収納される。【選択図】図４
2007182237.tif 000002
【特許請求の範囲】
【請求項１】
複数枚のチップを収納する少なくとも一つの第１の収納体と、当該第１の収納体を複数収納可能に設けられた第２の収納体とを含む収納容器において、
前記第１の収納体は、相互に組み合わせ可能な上部材及び下部材からなり、これら上部材及び下部材の間にチップが収納可能に設けられていることを特徴とする収納容器。
【請求項２】
前記第１の収納体は、第２の収納体に収納されたときに、当該第２の収納体の厚み内に収まる大きさに設けられていることを特徴とする請求項１記載の収納容器。
【請求項３】
前記第２の収納体は、収納した第１の収納体に係合可能な係合部を備え、この係合部は、上部材及び下部材の前記組み合わせ状態を維持可能に設けられていることを特徴とする請求項１又は２記載の収納容器。
【請求項４】
前記上部材及び下部材は、略同一構造をなすトレイ部材により構成され、上下に組み合わせたときに相互に嵌り合って上部材により下部材を閉蓋可能に設けられていることを特徴とする請求項１，２又は３記載の収納容器。
【請求項５】
前記第２の収納体は、他の収納容器の第２の収納体に上下に重ね合わせ可能に設けられ、前記各第２の収納体を上下に重ねたときに、第２の収納体に収納された上部材と、その上方に重ね合わされた第２の収納体に収納された下部材との間にチップを収納可能に設けられていることを特徴とする請求項１ないし４の何れかに記載の収納容器。
【発明の詳細な説明】
【技術分野】
【０００１】
本発明は、収納容器に係り、更に詳しくは、複数枚のチップの収納状態を良好に保つことができる収納容器に関する。
【背景技術】
【０００２】
従来より、半導体チップを搬送若しくは保管するための収納容器が利用されている。このような収納容器としては、複数枚のチップを収納するチップトレイと、当該チップトレイより大きい平面サイズ及び厚みに設けられるととともに、複数のチップトレイを収納可能な収納トレイとを備えたものが知られている。収納トレイは、上部開放型の複数のポケットを備えており、各ポケットにチップトレイがそれぞれ収納されるようになっている。チップトレイは、その上面から突出する複数の突起又は突条を備え、当該突起又は突条に囲まれる上面領域にチップを載置することにより、当該チップの外周側が複数の突起又は突条に略当接して面方向への移動が規制された状態で収納される。そして、チップを収納したチップトレイをポケットに収納して収納トレイを搬送することにより、複数のチップトレイが同時に搬送されることとなる。
【発明の開示】
【発明が解決しようとする課題】
【０００３】
しかしながら、前記収納容器にあっては、チップがチップトレイの上面に単に載っている状態で収納される。このため、収納容器の搬送中にがたつき等が生じると、チップが意図することなく浮き上がり、ひいては、チップの位置ずれや傾きが生じて不完全な収納状態になり易いという不都合を招来する。
【０００４】
［発明の目的］
本発明は、このような不都合に着目して案出されたものであり、その目的は、チップの不用意なる移動を規制してチップを安定して収納することができる収納容器を提供することにある。
【課題を解決するための手段】
【０００５】
前記目的を達成するため、本発明は、複数枚のチップを収納する少なくとも一つの第１の収納体と、当該第１の収納体を複数収納可能に設けられた第２の収納体とを含む収納容器において、
前記第１の収納体は、相互に組み合わせ可能な上部材及び下部材からなり、これら上部材及び下部材の間にチップが収納可能に設けられる、という構成が採用されている。
【０００６】
本発明において、前記第１の収納体は、第２の収納体に収納されたときに、当該第２の収納体の厚み内に収まる大きさに設けられることが好ましい。
【０００７】
また、前記第２の収納体は、収納した第１の収納体に係合可能な係合部を備え、この係合部は、上部材及び下部材の前記組み合わせ状態を維持可能に設けられる、という構成も好ましくは採用される。
【０００８】
更に、前記上部材及び下部材は、略同一構造をなすトレイ部材により構成され、上下に組み合わせたときに相互に嵌り合って上部材により下部材を閉蓋可能に設けられる、という構成を採ることが好ましい。
【０００９】
また、前記第２の収納体は、他の収納容器の第２の収納体に上下に重ね合わせ可能に設けられ、前記各第２の収納体を上下に重ねたときに、第２の収納体に収納された上部材と、その上方に重ね合わされた第２の収納体に収納された下部材との間にチップを収納可能に設けられる、という構成を採用するとよい。
【発明の効果】
【００１０】
本発明によれば、第１の収納体を搬送することにより複数の第２の収納体の搬送を可能としつつ、上部材と下部材とによりチップを挟み込むように収納することができる。これにより、第２の収納体にチップが収納された状態で当該チップが意図することなく浮き上がることを防止でき、搬送中にがたつき等があった場合でも、チップの位置ずれ等を回避して収納状態を安定的に維持することが可能となる。
【００１１】
また、第１の収納体の大きさを第２の収納体の厚みに収まるようにしたから、第２の収納体が第１の収納体を収納したときに、厚みが増大することを回避することができる。従って、収納容器全体をコンパクトにすることができ、特に、複数の収納容器を重ねたときの省スペース化を達成することが可能となる。
【００１２】
更に、第１の収納体に係合可能な係合部を第２の収納体が備えているので、第２の収納体に対して第１の収納体を着脱自在とすることができる。しかも、第２の収納体に対する第１の収納体の収納状態が不用意に解除されることを防止できるばかりでなく、上部材と下部材とを組み合わせた状態も維持することができ、チップの収納状態をより安定化させることが可能となる。
【００１３】
また、上部材及び下部材を略同一構造とし、上部材により下部材を閉蓋できるようにした場合、上部材と下部材との共通化により部材の種類を減少させることができ、且つ、上部材と下部材とを区別して用いる必要性を排除して取扱性を向上させることが可能となる。
【００１４】
更に、第２の収納体に収納された上部材と、その上方に重ね合わされた第２の収納体の下部材との間にチップを収納可能とした場合には、複数の第２の収納体を重ねることにより、上部材の上方に収納されたチップが当該上部材と下部材とで挟み込まれるようになる。これにより、第２の収納体に収納された上部材の上下両側にチップをそれぞれ収納でき、第１の収納体におけるチップの収納数を増大させることが可能となる。
【００１５】
なお、本明細書及び特許請求の範囲において、特に明示しない限り、「上」及び「下」は、図２及び図６を基準として用いる。
【発明を実施するための最良の形態】
【００１６】
以下、本発明の好ましい実施の形態について図面を参照しながら説明する。
【００１７】
図１には、実施形態に係る収納容器の平面図が示され、図２には、その正面図が示されている。また、図３には、図１の要部拡大平面図が示され、図４には、図１の要部拡大斜視図が示されている。これらの図において、収納容器１０は、複数枚のチップＣを収納する複数の第１の収納体としてのチップトレイ１１と、各チップトレイ１１をそれぞれ収納可能に設けられた第２の収納体としての収納トレイ１２とを備えて構成されている。なお、前記チップＣは、特に限定されるものでないが、ＢＧＡ型若しくはＣＳＰ型等の面実装型とされ、略正方形の平面形状をなす片状に形成されるとともに、一方の面に図示省略した多数の端子を備えたものが例示される。
【００１８】
前記チップトレイ１１は、図４に示されるように、相互に組み合わせ可能な上部材１４及び下部材１５からなる。これら上部材１４及び下部材１５は、上方に複数のチップＣを載置可能な略同一構造のトレイ部材により構成されている。従って、以下の説明において、特に明示しない限り、上部材１４の構成について説明し、下部材１５の構成には、同一符号を付して説明を省略する。
【００１９】
前記上部材１４は、本実施形態では、樹脂材を用いた一体成形品により構成されている。上部材１４は、図３ないし図７に示されるように、平面視略正方形状をなす板状の本体部１７と、この本体部１７の上面側から突出して図３中上下及び左右方向に所定間隔毎に複数設けられた略長方形の平面形状をなす第１の突起１８と、本体部１７の下面側から下方に突出して略十字形の平面形状（図５参照）をなす複数の第２の突起１９と、本体部１７の下面における外周側から垂下する方形状リブ２０とを備えて構成されている。
【００２０】
前記本体部１７は、図７に示されるように、その外周側領域１７Ａが段部１７Ｂを介して低くなる形状に設けられている。図３に示されるように、本体部１７の同図中左右両端側における上下両側には凹部２２がそれぞれ形成されている。また、本体部１７の各コーナーＫのうち、一箇所のコーナーＫ（図３中左下のコーナー）はテーパ状に形成され、当該コーナーＫの位置により上部材１４の周方向の向きを容易に認識できるようになっている。
【００２１】
前記各第１の突起１８は、本体部１７の上面に図３中上下及び左右方向に沿って所定間隔毎に載置されるチップＣの四辺に沿う位置に設けられている。すなわち、図３中上下に隣り合う一対の第１の突起１８，１８と、当該第１の突起１８，１８の同図中左右両側に位置する第１の突起１８，１８との間に、チップＣを収納して当該チップＣの水平方向移動を規制可能に設けられている。
【００２２】
前記第２の突起１９は、図５に示されるように、同図中上下及び左右方向に沿って所定間隔毎に設けられ、具体的には、各チップＣの前記収納位置の下側（図５中紙面直交方向手前側）に対応する位置にそれぞれ設けられている。図７に示されるように、第２の突起１９の本体部１７下面からの突出量ｈ１は、第１の突起１８の本体部１７上面からの突出量ｈ２より小さく設定されている。これにより、上部材１４及び下部材１５を上下に重ねたとき（図６参照）に、上部材１４の本体部１７下面と、下部材１５の第１の突起１８の上面とが当接し、上部材１４の第２の突起１９の下面と、下部材１５の本体部１７上面とによりチップＣを挟み込んで収納できるようになっている。
【００２３】
前記方形状リブ２０は、その内周面が前記段部１７Ｂより若干外側となる形状を備えた略正方形の平面形状に設けられている。従って、上部材１４及び下部材１５を上下に重ねたときに、上部材１４の方形状リブ２０と、下部材１５の段部１７Ｂ及びこれに沿う各第１の突起１８が嵌り合い、上部材１４及び下部材１５が相互に組み合わされることとなる。
【００２４】
前記収納トレイ１２は、特に限定されるものでないが、本実施形態では、ＡＢＳ等の適宜な樹脂材を用いた一体成形品により構成されている。収納トレイ１２は、図８にも示されるように、横長の長方形状に設けられた板状のトレイ形成体２４と、このトレイ形成体２４の面内中央部に設けられた被吸着部２５と、このトレイ形成体２４の図８中左右両側において四箇所ずつそれぞれ形成されるとともに、チップトレイ１１を内部に収納する収納部２６と、トレイ形成体２４の外周に形成された枠状体２７とを備えて構成されている。
【００２５】
前記被吸着部２５は、略正方形の平面形状をなす枠状リブ２９に囲まれた位置に設けられた略フラットな面により形成され、収納容器１０の搬送等に用いられる所定の吸着グリッドを介して吸着される領域となる。枠状リブ２９は、その上端面がトレイ形成体２４の上面と同一面上に位置するように設けられている。従って、被吸着部２５は、トレイ形成体２４の上面より低い位置で当該上面と略平行となるように位置する。なお、枠状リブ２９を囲う位置には、当該枠状リブ２９と略同一の上端面高さとなる格子状リブ３０が設けられている。
【００２６】
前記各収納部２６は、図４に示されるように、上部材１４より若干大きい平面形状となる出し入れ口３２を上方に備え、この出し入れ口３２を通じてチップトレイ１１を出し入れ可能に設けられている。収納部２６は、出し入れ口３２から下方に向かって延びる周壁部３３と、周壁部３３の下端側から内側に突き出る係合部を構成するフランジ部３４と、平面視で出し入れ口３２の図３中上下両側に設けられた係合部を構成する複数のロック片部３６と、同図中左右両側に位置する周壁部３３に連なる複数の位置決め突部３７とを備え、フランジ部３４の内側が開放した形状に設けられている。
【００２７】
図３中上方及び下方に位置する周壁部３３には、左右一対の切欠部３８がそれぞれ形成されている。各切欠部３８は、図４に示されるように、トレイ形成体２４からフランジ部３４に亘って形成されているとともに、前記ロック片部３６を受容する大きさに設けられている。
【００２８】
前記ロック片部３６は、図９にも示されるように、前記各切欠部３８の内側にそれぞれ設けられており、ロック片部３６は、図６及び図７に示されるように、上下方向に沿って位置するとともに、その上端に内方に突出する突出部４０を備えている。突出部４０は、断面視略半円弧状に形成されており、収納部２６内にチップトレイ１１を収納したときに、その上部材１４の本体部１７外周部分に係合可能に設けられている。また、ロック片部３６は、その下端側における幅方向両側で連結片４１，４１を介して切欠部３８の内周面側に連結され、当該連結片４１，４１やロック片部３６自体が弾性変形することで、上部側が揺動できるようになっている。
【００２９】
前記位置決め突部３７は、図３左右両側に位置する周壁部３３の上下両側に二つずつそれぞれ設けられ、収納部２６内にチップトレイ１１を収納したときに、前記凹部２２の内部に受容される位置に設けられている。従って、図３に示される位置から、チップトレイ１１を周方向に９０°回転させた状態で収納部２６内に収納しようとすると、位置決め突部３７と前記本体部１７の外周側領域１７Ａとが干渉し、収納部２６にチップトレイ１１を収納できないようになっている。つまり、位置決め突部３７と前記外周側領域１７Ａとが干渉しないように収納部２６内にチップトレイ１１を収納する場合、テーパ状に形成されたコーナーＫが図３に示される位置、若しくは、この位置に対して１８０°回転した位置で位置決めされる。
【００３０】
ここで、図６に示されるように、収納部２６の深さは、上部材１４及び下部材１５を組み合わせたチップトレイ１１を収納したときに、当該チップトレイ１１が収納トレイ１２の厚み内に収まるように設定されている。つまり、図６の状態において、上部材１４における第１の突起１８の上端面がトレイ形成体２４の上面と略同一面上に位置する一方、下部材１５の方形状リブ２０の下面が枠状体２７の下部より上方に位置してはみ出さないようになっている。
【００３１】
前記枠状体２７は、トレイ形成体２４の外周側から垂下しており、その上部にトレイ形成体２４の上面より低い高さとなる段部２７Ａを備えている。ここで、図１０に示されるように、複数の収納容器１０を上下に積み重ねた場合、前記段部２７Ａ上に、他の収納容器１０の枠状体２７の下端面が載置されて嵌り合う。なお、図１中上下両側に位置する枠状体２７の左右両側には、下向き凹状（図２参照）をなす凹み部４３がそれぞれ形成されている。また、枠状体２７の図２中左右両側には、正面視で鈎状をなすフック部４４が連なって設けられている。
【００３２】
以上の構成において、収納容器１０にチップＣを収納する場合、先ず、図４に示されるように、チップＣの四辺が下部材１５の四つの第１の突起１８にそれぞれ対向するように本体部１７上に載置する。次いで、下部材１５の段部１７Ｂ及びこれに沿う第１の突起１８と、上部材１４の方形状リブ２０とを相互に嵌め合わせて上部材１４及び下部材１５を上下に組み合わせる。これにより、下部材１５上の各チップＣの上方に上部材１４の第２の突起１９が位置し、チップＣの浮き上がりが防止された状態となって上部材１４により下部材１５が閉蓋される。その後、上部材１４及び下部材１５の各凹部２２内に前記位置決め突部３７が受容されるようにチップトレイ１１の向きを設定し、収納トレイ１２の収納部２６内にチップトレイ１１を押し入れる。このとき、上部材１４及び下部材１５の外周側領域１７Ａがロック片部３６の突出部４０の表面を滑動し、各ロック片部３６が外側に倒伏するように変形する。そして、下部材１５の外周側領域１７Ａの下面がフランジ部３４上に載置した状態でロック片部３６が初期位置に復帰し、上部材１４の外周側領域１７Ａ上面にロック片部３６の突出部４０が係合する。これにより、フランジ部３４及びロック片部３６の突出部４０によりチップトレイ１１が上下に挟み込まれ、当該チップトレイ１１の上下移動を規制し、且つ、上部材１４及び下部材１５の組み合わせ状態を維持した状態で収納部２６内に収納される。
なお、他の各収納部２６に対しても、チップＣを収納したチップトレイ１１を同様に収納することにより、図１に示される状態となる。
【００３３】
この状態において、前述の下部材１５と同様に、上部材１４の上方にも複数枚のチップＣを収納することができる。これらのチップＣは、図１０に示されるように、上下に二つの収納容器１０を重ねることにより、上方領域が覆われることとなる。つまり、上部材１４の上部にチップＣを収納した図１０中下方の収納容器１０に対し、他の収納容器１０を上方から重ね合わせたときに、当該他の収納容器１０の下部材１５における第２の突起１９が各チップＣの上方にそれぞれ位置した状態となる。
【００３４】
なお、収納容器１０からチップＣを取り出す場合、チップトレイ１１に強制的な外力を付与して収納部２６の出し入れ口３２側に押し出し、当該チップトレイ１１と各ロック片部３６との係合を解除する。その後、下部材１５から上部材１４を分離することにより、チップＣが表出して取り出しを行えるようになる。
【００３５】
従って、このような実施形態によれば、上部材１４及び下部材１５の間にチップＣが挟み込まれるように収納されるので、収納トレイ１２によって複数のチップトレイ１１を一体として搬送しつつ、当該搬送中におけるチップＣの不用意な位置ずれや脱落を防止することができる。
また、収納部２６のフランジ部３４及びロック片部３６によりチップトレイ１１の上下移動を規制されるので、収納トレイ１２を裏返した後、収納部２６からチップトレイ１１を取り出すことで各チップＣを容易に反転でき、チップＣの両面を通電検査するテスト工程等を迅速に行えるようになる。
更に、また、複数の収納容器１０を上下に重ねることにより、上部材１４の上部に載置したチップＣが下部材１５によって覆われるようになり、チップＣの保管をより良く行うことができる。
【００３６】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施形態に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３７】
例えば、前記実施形態において、収納部２６の設置数を必要に応じて増減してもよく、また、複数の収納部２６に対して少なくとも一つのチップトレイ１１を収納させるようにすればよい。
また、チップトレイ１１と収納トレイ１２に異なる色を施してもよく、これにより、収納トレイ１２に対するチップトレイ１１の着脱をよりスムースに行うことができる。
更に、上部材１４及び下部材１５は、チップＣの平面サイズや収納許容数に応じて、種々の設計変更を行ってもよい。
【００３８】
また、ロック片部３６の形成数及び形成領域は、収納部２６内のチップトレイ１１の移動規制を行える限りにおいて変更してもよい。
更に、ロック片部３６において、その上部だけでなく上下方向中間部にも突状部４０を形成する、すなわち、ロック片部３６に対して上下方向に二つの突状部４０を形成してもよい。これにより、収納部２６内に収納された上部材１４及び下部材１５の両方に突状部４０，４０が係合して安定した収納状態を確保できる他、収納部２６内に一つの上部材１４を収納する場合であっても、上部材１４と突状部４０とを係合させて当該上部材１４の上下移動を規制することが可能となる。
【図面の簡単な説明】
【００３９】
【図１】実施形態に係る収納容器の概略平面図。
【図２】図１の正面図。
【図３】図１の要部拡大平面図。
【図４】図１の要部拡大分解斜視図。
【図５】上部材の底面部。
【図６】図３のＡ−Ａ線に沿う断面図。
【図７】図６の分解断面図。
【図８】チップトレイを省略した図１と同様の平面図。
【図９】図３のＢ−Ｂ線に沿う位置で断面視した分解図。
【図１０】二つの収納容器を重ねた状態を示す図６と同様の断面図。
【符号の説明】
【００４０】
１０・・・収納容器、１１・・・チップトレイ（第１の収納体）、１２・・・収納トレイ（第２の収納体）、１４・・・上部材、１５・・・下部材、３４・・・フランジ部（係合部）、３６・・・ロック片部（係合部）、Ｃ・・・チップ
【図１】
2007182237.tif 000003
【図２】
2007182237.tif 000004
【図３】
2007182237.tif 000005
【図４】
2007182237.tif 000006
【図５】
2007182237.tif 000007
【図６】
2007182237.tif 000008
【図７】
2007182237.tif 000009
【図８】
2007182237.tif 000010
【図９】
2007182237.tif 000011
【図１０】
2007182237.tif 000012